(57)【要約】【課題】撮影に関する伝達情報を被検体が容易に把握することができるＸ線ＣＴ装置を提供する。【解決手段】天板８上に載置された被検体Ｐに対してＸ線を照射するＸ線照射部１５と、Ｘ線照射部１５から照射され、被検体Ｐを透過したＸ線を検出するＸ線検出部１６と、被検体Ｐへの伝達情報を表示する第２の表示部２０と、Ｘ線照射部１５、Ｘ線検出部１６及び第２の表示部２０を被検体Ｐの周りを回転可能に保持する回転フレーム３０と、Ｘ線検出部１６により検出された検出信号に基づき生成される投影データを再構成して画像データを生成する画像処理部６０とを備え、回転フレーム３０の回転中の所定のタイミングで、伝達情報を第２の表示部２０に表示する。【選択図】図１
2010284302.tif 000002
【特許請求の範囲】
【請求項１】
天板上に載置された被検体に対してＸ線を照射するＸ線照射手段と、
前記Ｘ線照射手段から照射され、前記被検体を透過したＸ線を検出するＸ線検出手段と、
前記被検体への伝達情報を表示する表示手段と、
前記Ｘ線照射手段、前記Ｘ線検出手段、及び前記表示手段を、前記被検体の周りを回転可能に保持する回転フレームと、
前記Ｘ線検出手段により検出された検出信号に基づき生成される投影データを再構成して画像データを生成する画像処理手段とを
備えたことを特徴とするＸ線ＣＴ装置。
【請求項２】
前記表示手段は、前記Ｘ線照射手段からのＸ線の照射範囲以外の位置に配置されていることを特徴とする請求項１に記載のＸ線ＣＴ装置。
【請求項３】
前記表示手段は、前記Ｘ線照射手段と前記Ｘ線検出手段の間の前記回転フレームにより保持可能な位置に配置されていることを特徴とする請求項２に記載のＸ線ＣＴ装置。
【請求項４】
前記表示手段は、前記回転フレームの回転中に前記被検体の視野に入る所定の回転角度のタイミングで、前記伝達情報を表示するようにしたことを特徴とする請求項１に記載のＸ線ＣＴ装置。
【請求項５】
前記表示手段は、前記回転フレームの回転方向に対して垂直方向に配列された複数の発光素子、及びこの発光素子を夫々駆動する駆動手段を有し、
前記駆動手段は、前記複数の発光素子の内の前記伝達情報の一部に対応する位置の発光素子を順次点灯した後に消灯するようにしたことを特徴とする請求項４に記載のＸ線ＣＴ装置。
【請求項６】
前記所定の回転角度は、前記天板上に載置された仰臥位の被検体に対して前記表示手段が前記天板の上方に位置する角度であることを特徴とする請求項４又は請求項５に記載のＸ線ＣＴ装置。
【請求項７】
前記所定の回転角度は、前記天板上に載置された右横臥位又は左横臥位の一方の臥位の被検体に対して前記表示手段が前記天板の幅方向における一方向に位置する角度であり、前記天板上に載置された他方の臥位の被検体に対して前記天板の幅方向における他方向に位置する角度であることを特徴とする請求項４又は請求項５に記載のＸ線ＣＴ装置。
【請求項８】
前記天板上に載置された被検体が送り込まれる開口部以外の前記Ｘ線照射手段、前記Ｘ線検出手段、前記表示手段、及び前記回転フレームを覆う架台カバー、及び前記開口部のＸ線が通過する部分を周方向に沿って覆う開口部カバーを備え、
前記開口部カバーは、Ｘ線及び前記表示手段からの伝達情報に対応する可視光を透過する材料で形成されていることを特徴とする請求項１に記載のＸ線ＣＴ装置。
【請求項９】
前記表示手段は、前記回転フレームの回転方向及びこの回転方向に対して垂直方向のマトリックス状に配列された複数の発光素子、及びこの発光素子を夫々駆動する駆動手段を有し、
前記駆動手段は、前記被検体の視野に入る所定の角度で停止した前記複数の発光素子の内の前記伝達情報を形成する位置の発光素子を同時に点灯するようにしたことを特徴とする請求項１に記載のＸ線ＣＴ装置。
【発明の詳細な説明】
【技術分野】
【０００１】
本発明は、Ｘ線ＣＴ装置に係り、被検体に情報を伝達するための表示部を備えたＸ線ＣＴ装置に関する。
【背景技術】
【０００２】
Ｘ線ＣＴ装置は、被検体の撮影により生成される画像データを提供するものであり、診断や治療等の医療行為に重要な役割を果たしている。このＸ線ＣＴ装置は、被検体に対してＸ線を照射するＸ線照射部及び被検体を透過したＸ線を検出するＸ線検出部を有する架台を備えている。この架台は円筒状の開口部を有し、天板上に載置された被検体が開口部内に送り込まれると、Ｘ線照射部及びＸ線検出部が被検体の周りを回転しながら、Ｘ線を被検体へ照射すると共に被検体を透過したＸ線を検出して撮影を行う。
【０００３】
ところで、Ｘ線ＣＴ装置では、撮影に関する情報を被検体に伝える必要があるため、その伝達情報を表示する表示部を架台に配置した装置が知られている（例えば、特許文献１参照。）。
【先行技術文献】
【特許文献】
【０００４】
【特許文献１】特開２００５−１３０９７５号公報
【発明の概要】
【発明が解決しようとする課題】
【０００５】
しかしながら、被検体の例えば頭部の撮影が行われる場合、架台の開口部内に頭部が送り込まれて、特許文献１の架台に配置された表示部が被検体の視界に入らなくなるために、被検体が伝達情報を把握できない問題がある。この問題に対して被検体に音声で伝える方法が考えられるが、Ｘ線照射部及びＸ線検出部の回転中には、この回転音による騒音で被検体が伝達情報を聞き取ることができない問題がある。
【０００６】
本発明は、上記問題点を解決するためになされたもので、撮影に関する伝達情報を被検体が容易に把握することができるＸ線ＣＴ装置を提供することを目的とする。
【課題を解決するための手段】
【０００７】
上記問題を解決するために、本発明のＸ線ＣＴ装置は、天板上に載置された被検体に対してＸ線を照射するＸ線照射手段と、前記Ｘ線照射手段から照射され、前記被検体を透過したＸ線を検出するＸ線検出手段と、前記被検体への伝達情報を表示する表示手段と、前記Ｘ線照射手段、前記Ｘ線検出手段、及び前記表示手段を、前記被検体の周りを回転可能に保持する回転フレームと、前記Ｘ線検出手段により検出された検出信号に基づき生成される投影データを再構成して画像データを生成する画像処理手段とを備えたことを特徴とする。
【発明の効果】
【０００８】
本発明によれば、Ｘ線照射部及びＸ線検出部と共に回転する表示部を設け、その表示部に伝達情報を所定のタイミングで表示することにより、その伝達情報を被検体が容易に把握することができる。
【図面の簡単な説明】
【０００９】
【図１】本発明の実施例に係るＸ線ＣＴ装置の構成を示すブロック図。
【図２】本発明の実施例に係るカバーの構成を示す図。
【図３】本発明の実施例に係る第２の表示部の構成を示す図。
【図４】本発明の実施例に係る架台部の開口部内に送り込まれた仰臥位の被検体に対して第２の表示部に伝達情報が表示されるときの回転フレームの回転角度を示す図。
【図５】本発明の実施例に係る開口部内に送り込まれた仰臥位の被検体に対して第２の表示部に表示される伝達情報の一例を示す図。
【図６】図５に示した伝達情報を形成する第２の表示部の一例を示す図。
【図７】本発明の実施例に係る開口部内に送り込まれた横臥位の被検体に対して第２の表示部に伝達情報が表示されるときの回転フレームの回転角度を示す図。
【発明を実施するための形態】
【００１０】
以下、本発明の実施例を、図面を参照して説明する。
【実施例】
【００１１】
図１は、本発明の実施例に係るＸ線ＣＴ装置の構成を示したブロック図である。このＸ線ＣＴ装置１００は、被検体Ｐが載置される天板８と、この天板８上に載置された被検体ＰにＸ線を照射してＸ線投影データを生成する撮影を行う架台部１０と、天板８を長手方向及び上下方向に移動する天板移動機構部５０と、架台部１０で生成されたＸ線投影データを再構成して画像データを生成する画像処理部６０とを備えている。
【００１２】
また、Ｘ線ＣＴ装置１００は、画像処理部６０で生成された画像データを表示する第１の表示部７０と、架台部１０で行われる被検体Ｐの撮影に関するＸ線照射の条件や被検体Ｐの情報等の入力操作を行なう操作部８０と、架台部１０、天板移動機構部５０、画像処理部６０、及び第１の表示部７０を統括して制御するシステム制御部９０とを備えている。
【００１３】
架台部１０は、天板８上に載置された臥位の被検体Ｐが送り込まれる円筒状の開口部１１と、この開口部１１内に送り込まれた被検体Ｐの周りをアイソセンタＣ０を中心にして矢印Ｒ１方向に回転する回転部１２と、この回転部１２を回転可能に支持する固定部１３と、回転部１２及び固定部１３を覆うカバー１４と、被検体Ｐに対して撮影に関る伝達情報を表示する第２の表示部２０とを備えている。
【００１４】
回転部１２は、開口部１１内に送り込まれた被検体Ｐに対してＸ線を照射するＸ線照射部１５と、Ｘ線照射部１５からのＸ線を検出するＸ線検出部１６と、Ｘ線検出部１６からの検出信号に基づいて投影データを生成するデータ収集部１７と、データ収集部１７で生成されたＸ線投影データを画像処理部６０に出力するためのデータ伝送部１８の送信部とを備えている。
【００１５】
また、Ｘ線照射に必要な高電圧をＸ線照射部１５に供給する高電圧発生部１９と、Ｘ線照射部１５、Ｘ線検出部１６、データ収集部１７、データ伝送部１８の送信部、高電圧発生部１９、及び第２の表示部２０を回転可能に保持する回転フレーム３０とを備えている。
【００１６】
Ｘ線照射部１５は、Ｘ線を発生するＸ線管及びこのＸ線管からのＸ線の照射範囲を設定するスリットを備えている。そして、開口部１１内に送り込まれた被検体Ｐの周りを回転しながら、Ｘ線管の焦点を中心として中心角がファン角θの扇形に設定したＸ線を照射する。
【００１７】
Ｘ線検出部１６はＸ線照射部１５に対向して配置され、天板８上に載置された被検体Ｐの体軸の方向であるスライス方向にＫ（２以上の整数）列配置され、またＲ１方向であるチャンネル方向にファン角θの円弧に沿ってＬ（２以上の整数）行配列された（Ｋ×Ｌ）個のＸ線検出素子を備えている。そして、Ｘ線照射部１５からの照射により、被検体Ｐを透過したＸ線を検出して電気信号に変換し、その変換した信号をデータ収集部１７に出力する。
【００１８】
データ収集部１７は、Ｘ線検出部１６から出力された検出信号を処理するアナログ／デジタル変換回路（ＡＤＣ）等を備え、Ｘ線検出部１６から出力されたアナログ信号をデジタル信号に変換した後、回転フレーム３０の所定の撮影角度回転毎に収集して１ビューの投影データを生成する。
【００１９】
データ伝送部１８は、例えば光を利用して送受信するための送信部及び受信部を備えている。そして、送信部が回転部１２に設けられ、データ収集部１７からの投影データを固定部１３に設けた受信部に伝送する。
【００２０】
固定部１３は、回転部１２の回転フレーム３０を回転する回転機構制御部３１及びデータ伝送部１８の受信部を備えている。そして、回転機構制御部３１は、回転フレーム３０を例えば０．３５秒で１回転する回転機構、回転フレーム３０の回転角度を検出する角度検出器、及び前記回転機構を制御する制御回路を備え、回転フレーム３０の検出した回転角度の情報や回転速度の情報を第２の表示部２０に出力する。また、データ伝送部１８の受信部は、送信部からの投影データを画像処理部６０に出力する。
【００２１】
図２は、カバー１４の構成を示した図である。図２（ａ）は、架台部１０の正面図であり、図２（ｂ）は、図２（ａ）に示した架台部１０の側面図である。このカバー１４は、開口部１１以外の回転部１２及び固定部１３を覆う架台カバー１４１と、開口部１１の被検体Ｐに対して照射するＸ線及び被検体Ｐを透過したＸ線が通過する部分を周方向に沿って覆う架台部１０内部への不要なものの侵入を防止するための開口部カバー１４２とにより構成される。そして、開口部カバー１４２は、Ｘ線及び第２の表示部２０からの伝達情報を表す可視光の透過性に優れた例えばポリエステルフィルム材料で形成されている。
【００２２】
第２の表示部２０は、カバー１４の架台カバー１４１に配置された図示しない伝達情報を表示するための第３の表示部が視界に入らない例えば開口部１１内に頭部が送り込まれた被検体Ｐに対して伝達情報を表示するために設けられている。そして、カバー１４の開口部カバー１４２上に配置すると、Ｘ線照射部１５により照射されるＸ線の妨げとなるため、そのＸ線の照射範囲以外の位置であり、Ｘ線照射部１５とＸ線検出部１６間の回転フレーム３０により保持可能な位置に配置される。
【００２３】
そして、撮影中にはＸ線照射部１５及びＸ線検出部１６と共に回転し、回転フレーム３０の回転中に被検体Ｐの視界に入る角度である所定の回転角度のタイミングで、天板８の移動、回転フレーム３０の回転、撮影時間、撮影の進行状況、撮影のための息止め等の様々な伝達情報を表示する。また、撮影開始前や撮影終了後の撮影以外のときには天板８上に載置された被検体Ｐの視野に入る所定の角度で停止した状態で伝達情報を表示する。
【００２４】
図１の画像処理部６０は、架台部１０における回転部１２のデータ伝送部１８から出力された投影データを保存する記憶部６１と、記憶部６１に保存された投影データを再構成して画像データを生成する再構成部６２とを備えている。
【００２５】
再構成部６２は、回転部１２における回転フレーム３０の例えば１８０°にファン角θを加えた３６０°未満の角度、又は３６０°の所定の角度を回転する間の撮影を１スキャンとし、１スキャンの間の撮影角度毎に生成された複数ビューの投影データを再構成して画像データを生成する。
【００２６】
第１の表示部７０は、液晶パネルやＣＲＴなどのモニタを備え、画像処理部６０の再構成部６２で生成された画像データ等を表示する。
【００２７】
操作部８０は、キーボード、トラックボール、ジョイスティック、マウスなどの入力デバイスや表示パネル、更には各種スイッチなどを備えたインターラクティブなインターフェースであり、被検体Ｐの情報、Ｘ線照射条件、天板８上に載置する被検体Ｐの臥位情報を入力する操作を行う。また、架台部１０における回転部１２の第２の表示部２０に表示させる被検体Ｐへの伝達情報を入力する操作等を行う。
【００２８】
システム制御部９０は、ＣＰＵと記憶回路を備え、操作部８０からの入力操作により供給される入力情報を一旦記憶した後、これらの入力情報に基づいて、架台部１０における回転部１２の回転フレーム３０の回転、投影データの生成、画像データの生成及び表示、伝達情報の表示に関する制御などシステム全体の制御を行う。
【００２９】
以下、図１乃至図７を参照して、架台部１０の回転部１２における第２の表示部２０の構成及び動作を説明する。図３は、第２の表示部２０の構成を示す図である。図４は、架台部１０の開口部１１内に送り込まれた仰臥位の被検体Ｐに対して第２の表示部２０に伝達情報が表示されるときの回転フレーム３０の回転角度を示す図である。図５は、開口部１１内に送り込まれた仰臥位の被検体Ｐに対して第２の表示部２０に表示された伝達情報の一例を示す図である。図６は、図５に示した伝達情報を形成する第２の表示部２０の一例を示す図である。図７は、開口部１１内に送り込まれた横臥位の被検体Ｐに対して第２の表示部２０に伝達情報が表示されるときの回転フレーム３０の回転角度を示す図である。
【００３０】
図３において、第２の表示部２０は、被検体Ｐへの伝達情報を発光表示する発光部２１、この発光部２１を駆動する駆動部２２、及びこの駆動部２２を制御する制御部２３により構成される。
【００３１】
発光部２１は、回転フレーム３０の回転方向の位置Ｃ１乃至Ｃｍ及びこの回転方向に対して垂直方向の位置Ｓ１乃至Ｓｎにマトリックス状に配列された（ｍ×ｎ）個の可視光を発光する例えば発光ダイオード等の発光素子ａ０１０１乃至ａｍｎにより構成され、この発光素子ａ０１０１乃至ａｍｎの発光面がアイソセンタＣ０を通る直線に対して垂直に配置されている。
【００３２】
そして、位置Ｃ１には、位置Ｓ１に発光素子ａ０１０１が配置され、位置Ｓ２に発光素子ａ０１０２が配置されている。また、位置Ｓ３乃至Ｓ１２に発光素子ａ０１０３乃至ａ０１１２が配置され、位置Ｓ１３乃至Ｓｎに発光素子ａ０１１３乃至ａ０１ｎが配置されている。
【００３３】
また、位置Ｃ２には、位置Ｓ１乃至Ｓｎに発光素子ａ０２０１乃至ａ０２ｎが配置されている。更に、位置Ｃ３乃至Ｃ９には、位置Ｓ１乃至Ｓｎに発光素子ａ０３０１乃至ａ０３ｎ、・・・、発光素子ａ０９０１乃至ａ０９ｎが配置されている。更にまた、位置Ｃ１０乃至Ｃｍには、位置Ｓ１乃至Ｓｎに発光素子ａ１００１乃至ａ１０ｎ、・・・、発光素子ａｍ０１乃至ａｍｎが配置されている。
【００３４】
駆動部２２は、発光部２１の発光素子ａ０１０１乃至ａｍｎを夫々点灯及び消灯する。また、制御部２３は、システム制御部９０から供給される天板８上に載置される被検体Ｐの仰臥位、左横臥位、右横臥位等の臥位の情報及び伝達情報、並びに回転機構制御部３１から出力される回転フレーム３０の回転角度や回転速度の情報に基づいて、駆動部２２を制御する。そして、各発光素子ａ０１０１乃至ａｍｎの内の文字や図形を形成する位置の発光素子を点灯及び消灯させて、架台部１０の開口部１１内に送り込まれた被検体Ｐに対して伝達情報を表示する。
【００３５】
次に、回転フレーム３０の回転中に第２の表示部２０に表示される伝達情報の一例を説明する。
【００３６】
図４は、架台部１０の開口部１１内に送り込まれた仰臥位の被検体Ｐに対して発光部２１に伝達情報が表示されるときの回転フレーム３０の回転角度を示した図である。第２の表示部２０の制御部２３は、システム制御部９０から供給される仰臥位の情報及び伝達情報、並びに回転機構制御部３１から出力される回転フレーム３０の例えば回転角度の情報に基づいて、駆動部２２を制御する。そして、天板８上に載置された仰臥位の被検体Ｐの視覚に入る発光部２１が天板８上方を回転移動している間の回転フレーム３０の回転角度θ１乃至θｋ（ｋ＞１０）のタイミングで、伝達情報である例えば「息を止めてください」を発光部２１に表示させる。
【００３７】
図５は、天板８上に載置された仰臥位の被検体Ｐに対して発光部２１に表示される伝達情報の一例を示した図である。ここでは、伝達情報である「息を止めてください」の「息」が表示される例を説明する。
【００３８】
発光部２１の例えば位置Ｃ１乃至Ｃ１０における位置Ｓ１乃至Ｓ１２の発光素子ａ０１０１乃至ａ１０１２の内、図６に示すように、位置Ｃ１の発光素子ａ０１１２、位置Ｃ２の発光素子ａ０２１０，ａ０２１１、位置Ｃ３の発光素子ａ０３０２乃至ａ０３０８、位置Ｃ４の発光素子ａ０４０２，ａ０４０４，ａ０４０６，ａ０４０８，ａ０４１０，ａ０４１１、位置Ｃ５の発光素子ａ０５０１，ａ０５０２，ａ０５０４，ａ０５０６，ａ０５０８，ａ０５１２、位置Ｃ６の発光素子ａ０６０２，ａ０６０４，ａ０６０６，ａ０６０８，ａ０６１２、位置Ｃ７の発光素子ａ０７０２，ａ０７０４，ａ０７０６，ａ０７０８，ａ０７１０，ａ０７１２、位置Ｃ８の発光素子ａ０８０２乃至ａ０８０８及び発光素子ａ０８１１、位置Ｃ９の発光素子ａ０９１０、並びに位置Ｃ１０の発光素子ａ１０１１のみを同時に点灯させることにより、「息」の文字が形成されるとする。
【００３９】
この場合、制御部２３は、例えば位置Ｃ１における位置Ｓ１３乃至Ｓｎの発光素子ａ０１１３乃至ａ０１ｎ及び位置Ｃ２乃至Ｃｍにおける位置Ｓ１乃至Ｓｎの発光素子ａ０２０１乃至ａｍｎを消灯させた状態で、回転フレーム３０の回転方向に対して垂直方向に配列された位置Ｃ１における位置Ｓ１乃至Ｓ１２の各発光素子ａ０１０１乃至ａ０１１２を点灯及び消灯させる。
【００４０】
そして、回転フレーム３０の各回転角度θ１乃至θ１０のタイミングにおいて、発光素子ａ０１０１乃至ａ０１１２の内、図６に示した「息」の文字を形成する各位置Ｃ１乃至Ｃ１０の点灯した発光素子に対応する位置の発光素子を順次点灯した後に消灯させて、「息」を表示させる。
【００４１】
ここでは、回転角度θ１のタイミングにおいて、駆動部２２は、図５（１）に示すように、図６に示した「息」の文字の１番左の上下方向の部分を表す位置Ｃ１の発光素子ａ０１１２に対応する位置の発光素子ａ０１１２を点灯した後に消灯する。
【００４２】
発光素子ａ０１１２が消灯し、且つ回転フレーム３０が回転角度θ１からＲ１方向に回転した回転角度θ２のタイミングにおいて、駆動部２２は、図５（２）に示すように、図６に示した「息」の文字の左から２番目の上下方向の部分を表す位置Ｃ２の発光素子ａ０２１１，ａ０２１２に対応する位置の発光素子ａ０１１０，ａ０１１１を同時に点灯した後に消灯する。
【００４３】
発光素子ａ０１１０，ａ０１１１が消灯し、且つ回転フレーム３０が回転角度θ２からＲ１方向に回転した回転角度θ３のタイミングにおいて、駆動部２２は、図５（３）に示すように、図６に示した「息」の文字の左から３番目の上下方向の部分を表す位置Ｃ３の発光素子ａ０３０２乃至ａ０３０８に対応する位置の発光素子ａ０１０２乃至ａ０１０８を同時に点灯した後に消灯する。
【００４４】
発光素子ａ０１０２乃至ａ０１０８が消灯し、且つ回転フレーム３０が回転角度θ３からＲ１方向に回転した回転角度θ４のタイミングにおいて、駆動部２２は、図５（４）に示すように、図６に示した「息」の文字の左から４番目の上下方向の部分を表す位置Ｃ４の発光素子ａ０４０２，ａ０４０４，ａ０４０６，ａ０４０８，ａ０４１０，ａ０４１１に対応する位置の発光素子ａ０１０２，ａ０１０４，ａ０１０６，ａ０１０８，ａ０１１０，ａ０１１１を同時に点灯した後に消灯する。
【００４５】
発光素子ａ０１０２，ａ０１０４，ａ０１０６，ａ０１０８，ａ０１１０，ａ０１１１が消灯し、且つ回転フレーム３０が回転角度θ４からＲ１方向に回転した回転角度θ５のタイミングにおいて、駆動部２２は、図５（５）に示すように、図６に示した「息」の文字の左から５番目の上下方向の部分を表す位置Ｃ５の発光素子ａ０５０１，ａ０５０２，ａ０５０４，ａ０５０６，ａ０５０８，ａ０５１２に対応する位置の発光素子ａ０１０１，ａ０１０２，ａ０１０４，ａ０１０６，ａ０１０８，ａ０１１２を同時に点灯した後に消灯する。
【００４６】
発光素子ａ０１０１，ａ０１０２，ａ０１０４，ａ０１０６，ａ０１０８，ａ０１１２が消灯し、且つ回転フレーム３０が回転角度θ５からＲ１方向に回転した回転角度θ６のタイミングにおいて、駆動部２２は、図５（６）に示すように、図６に示した「息」の左から６番目の上下方向の部分を表す位置Ｃ６の発光素子ａ０６０２，ａ０６０４，ａ０６０６，ａ０６０８，ａ０６１２に対応する位置の発光素子ａ０１０２，ａ０１０４，ａ０１０６，ａ０１０８，ａ０１１２を同時に点灯した後に消灯する。
【００４７】
発光素子ａ０１０２，ａ０１０４，ａ０１０６，ａ０１０８，ａ０１１２が消灯し、且つ回転フレーム３０が回転角度θ６からＲ１方向に回転した回転角度θ７のタイミングにおいて、駆動部２２は、図５（７）に示すように、図６に示した「息」の文字の左から７番目の上下方向の部分を表す位置Ｃ７の発光素子ａ０７０２，ａ０７０４，ａ０７０６，ａ０７０８，ａ０７１０，ａ０７１２に対応する位置の発光素子ａ０１０２，ａ０１０４，ａ０１０６，ａ０１０８，ａ０１１０，ａ０１１２を同時に点灯した後に消灯する。
【００４８】
発光素子ａ０１０２，ａ０１０４，ａ０１０６，ａ０１０８，ａ０１１０，ａ０１１２が消灯し、且つ回転フレーム３０が回転角度θ７からＲ１方向に回転した回転角度θ８のタイミングにおいて、駆動部２２は、図５（８）に示すように、図６に示した「息」の文字の左から８番目の上下方向の部分を表す位置Ｃ８の発光素子ａ０８０２乃至ａ０８０８及び発光素子ａ０８１１に対応する位置の発光素子ａ０１０２乃至ａ０１０８及び発光素子ａ０１１１を同時に点灯した後に消灯する。
【００４９】
発光素子ａ０１０２乃至ａ０１０８及び発光素子ａ０１１１が消灯し、且つ回転フレーム３０が回転角度θ８からＲ１方向に回転した回転角度θ９のタイミングにおいて、駆動部２２は、図５（９）に示すように、図６に示した「息」の文字の左から９番目の上下方向の部分を表す位置Ｃ９の発光素子ａ０９１０に対応する位置の発光素子ａ０１１０を点灯した後に消灯する。
【００５０】
発光素子ａ０１１０が消灯し、且つ回転フレーム３０が回転角度θ９からＲ１方向に回転した回転角度θ１０のタイミングにおいて、駆動部２２は、図５（１０）に示すように、図６に示した「息」の文字の左から１０番目の上下方向の部分を表す位置Ｃ１０の発光素子ａ１０１１に対応する位置の発光素子ａ０１１１を点灯した後に消灯する。
【００５１】
このように、回転フレーム３０の回転中における各回転角度θ１乃至θ１０のタイミングで、発光素子ａ０１０１乃至ａ０１１２の内の「息」の文字の一部に対応する位置の発光素子を順次点灯させた後に消灯させることができる。これにより、点灯した状態では視認が困難な「息」の文字を、各発光素子ａ０１０１乃至ａ０１１２からカバー１４の開口部カバー１４２を透過して天板８上に載置された仰臥位の被検体Ｐの視野に入る可視光の残像現象を利用して、被検体Ｐが視認可能な「息」の文字を表示することができる。
【００５２】
発光素子ａ０１１１が消灯し、且つ回転フレーム３０が回転角度θ１０からＲ１方向に回転した各回転角度θ１１乃至θｋのタイミングにおいて、駆動部２２は、「息」の文字の表示の場合と同様にして、「を止めてください」の各文字を左から順に、発光素子ａ０１０１乃至ａ０１１２の内のその文字の一部に対応する位置の発光素子を順次点灯した後に消灯する。
【００５３】
なお、撮影以外のときには、回転フレーム３０は発光部２１が被検体Ｐの視野に入る所定の角度で停止する。そして、発光素子ａ０１０１乃至ａｍｎの内の伝達情報の一文字或いは一図形、又は複数の文字或いは複数の図形を形成する位置の発光素子を同時に点灯させて伝達情報を表示する。
【００５４】
このように、回転フレーム３０の回転中における各回転角度θ１乃至θｋのタイミングで、「息を止めてください」の各文字を左から順に、発光素子ａ０１０１乃至ａ０１１２の内のその文字の一部に対応する位置の発光素子を順次点灯させた後に消灯させることができる。これにより、各発光素子ａ０１０１乃至ａｍｎから開口部カバー１４２を透過して天板８上に載置された仰臥位の被検体Ｐの視野に入る可視光の残像現象を利用して、被検体Ｐが視認可能な「息を止めてください」の文字を表示することができる。
【００５５】
なお、回転フレーム３０の回転中の回転角度θ１乃至θｋ内のいずれかの回転角度におけるタイミングで、発光素子ａ０１０１乃至ａａｍｎの内の「息を止めてください」の１文字又は複数の文字を形成する位置の全ての発光素子を同時に点灯した後に消灯させるように実施してもよい。
【００５６】
また、回転フレーム３０の１回転毎に、回転角度θ１乃至θｋ内のいずれかの連続する複数の回転角度におけるタイミングで、「息を止めてください」の各文字を左から順に、回転フレーム３０の回転方向に対して垂直方向に配列された１列の発光素子の内のその文字の一部に対応する位置の発光素子を順次点灯させた後に消灯させるように実施してもよい。
【００５７】
図７は、架台部１０の開口部１１内に送り込まれた横臥位の被検体Ｐに対して発光部２１に伝達情報が表示されるときの回転フレーム３０の回転角度を示した図である。そして、図７（ａ）は天板８上に右横臥位の被検体Ｐが載置されている場合であり、図７（ｂ）は天板８上に左横臥位の被検体Ｐが載置されている場合である。
【００５８】
制御部２３は、システム制御部９０から供給される右横臥位の情報及び伝達情報、並びに回転機構制御部３１から出力される回転フレーム３０の回転角度の情報に基づいて、駆動部２２を制御する。そして、発光部２１が天板８の幅方向における一方向を回転移動している間の回転フレーム３０の各回転角度θｐ１乃至θｐｋのタイミングで、「息を止めてください」の各文字を左から順番に、発光素子ａ０１０１乃至ａ０１１２の内のその文字の一部に対応する位置の発光素子を順次点灯させた後に消灯させる。
【００５９】
これにより、各発光素子ａ０１０１乃至ａ０１１２から開口部カバー１４２を透過して天板８上に載置された右横臥位の被検体Ｐの視野に入る可視光の残像現象を利用して、被検体Ｐが視認可能な伝達情報を表示することができる。
【００６０】
また、制御部２３は、システム制御部９０から供給される左横臥位の情報及び伝達情報、並びに回転機構制御部３１から出力される回転角度の情報に基づいて、駆動部２２を制御する。そして、発光部２１が天板８の幅方向における他方向を回転移動している間の回転フレーム３０の各回転角度θｑ１乃至θｑｋのタイミングで、「息を止めてください」の各文字を左から順に、発光素子ａ０１０１乃至ａ０１１２の内のその文字の一部に対応する位置の発光素子を順次点灯させた後に消灯させる。
【００６１】
これにより、各発光素子ａ０１０１乃至ａ０１１２から開口部カバー１４２を透過して天板８上に載置された左横臥位の被検体Ｐの視野に入る可視光の残像現象を利用して、被検体Ｐが視認可能な伝達情報を表示することができる。
【００６２】
なお、回転フレーム３０の１回転の間の回転角度θ１乃至θｋ、回転角度θｐ１乃至θｐｋ、及び各回転角度θｑ１乃至θｑｋのタイミングで、「息を止めてください」の各文字を左から順に、発光素子ａ０１０１乃至ａ０１１２の内のその文字の一部に対応する位置の発光素子を順次点灯させた後に消灯させて、被検体Ｐが視認可能な伝達情報を表示するように実施してもよい。
【００６３】
以上述べた本発明の実施例によれば、第２の表示部２０をＸ線照射範囲以外の位置であり、回転フレーム３０で保持可能な位置に配置し、回転中の回転フレーム３０の所定の回転角度のタイミングで、回転フレーム３０の回転方向に対して垂直方向に配列された発光部２１の複数の発光素子の内の伝達情報の一部に対応する位置の発光素子を順次点灯した後に消灯させることにより、点灯した状態では視認不可能な伝達情報を、発光部２１から開口部カバー１４２を透過して天板８上に載置された被検体Ｐの視野に入る可視光の残像現象を利用して、被検体Ｐが視認可能な伝達情報を表示することができる。
【００６４】
そして、天板８上に載置された仰臥位の被検体Ｐに対して回転フレーム３０の回転角度θ１乃至θｋのタイミングで、伝達情報を発光部２１に表示させることができる。また、天板８上に載置された右横臥位の被検体Ｐに対して回転フレーム３０の回転角度θｐ１乃至θｐｋのタイミングで、伝達情報を発光部２１に表示させることができる。更に、天板８上に載置された左横臥位の被検体Ｐに対して回転フレーム３０の回転角度θｑ１乃至θｑｋのタイミングで、伝達情報を発光部２１に表示させることができる。
【００６５】
また、発光部２１が被検体Ｐの視野に入る所定の角度で停止した回転フレーム３０の停止中に、発光部２１における発光素子ａ０１０１乃至ａｍｎの内の伝達情報の一文字或いは一図形、又は複数の文字或いは複数の図形を形成する位置の発光素子を同時に点灯させることにより、被検体Ｐが視認可能な伝達情報を表示することができる。
【００６６】
これにより、被検体Ｐが伝達情報を容易に把握することができる。
【符号の説明】
【００６７】
Ｃ０  アイソセンタ
Ｐ  被検体
８  天板
１０  架台部
１１  開口部
１２  回転部
１３  固定部
１４  カバー
１５  Ｘ線照射部
１６  Ｘ線検出部
１７  データ収集部
１８  データ伝送部
２０  第２の表示部
３０  回転フレーム
３１  回転機構制御部
５０  天板移動機構部
６０  画像処理部
６１  記憶部
６２  再構成部
７０  第１の表示部
８０  操作部
９０  システム制御部
１００  Ｘ線ＣＴ装置
【図１】
2010284302.tif 000003
【図２】
2010284302.tif 000004
【図３】
2010284302.tif 000005
【図４】
2010284302.tif 000006
【図５】
2010284302.tif 000007
【図６】
2010284302.tif 000008
【図７】
2010284302.tif 000009